(57)【要約】      （修正有）【課題】鳥の磁気感覚を効果的に狂わせるために、すなわち鳥の飛来を効果的に防止するために、磁束の変化の速度を１秒に１０回以下に制限する。【解決手段】支持棒１の先端に回転板２が回転可能に接続され、回転板２には磁石３と腕木４が接続されている。腕木４の先端には受風カップ５があって、風を受けると腕木４と回転板２が回転し、従って磁石３が回転して、周囲の磁束を変化させるようになっている。ここで、腕木４にはガバナ６が接続されている。このガバナ６が速度制限機構であり、回転速度が速くなると、回転を制限する働きをする。【選択図】図１
0003112642.tif 000002
【実用新案登録請求の範囲】
【請求項１】
回転または揺動する磁石と、速度制限機構を有し、該速度制限機構が該磁石の回転または揺動の速度を制限することを特徴とする鳥害防止装置。
【考案の詳細な説明】
【技術分野】
【０００１】  本考案は、鳥害を防止する装置に関する。
【背景技術】
【０００２】  公園、田畑、ごみ集積場、家屋、送電線などでは、鳥類が来て、木の実、穀物、ごみなどをあさってよごしたり、フンでよごしたり、あるいは人間に驚異や危害を与えたりするなどの鳥害の問題を生じる場合がある。【０００３】  鳥類を追い払うため、あるいは寄せ付けないために、鳥害防止装置が考案されており、従来の有力な技術の一つに磁気を利用した装置があり、その中に磁石を利用した方法があり、例えば、実開３０６８０４９の技術がある。【０００４】  実開３０６８０４９の技術を図７に示す。柱１０１に可撓棒１０２が接続され、可撓棒１０２の先端に、回転板１０３が接続され、回転板１０３には、磁石１０４と受風カップ１０５、１０６が接続されている。受風カップ１０５は凹面を見せており、受風カップ１０６は凸面を見せている。風が吹くと回転板１０３が回転し、磁石１０４が回転して、磁石が発生する磁束が回転する。鳥類は磁束を感知することが知られているから、磁束の強度が変化すると、鳥の磁気感覚を狂わせ、鳥の飛来を防止することができる。
【実用新案文献１】
実開３０６８０４９公報
【考案の開示】
【考案が解決しようとする課題】
【０００５】  しかし、磁石の回転が速過ぎて、鳥類の磁気感覚を狂わせる効果が低下する場合がある。鳥の磁気感覚は、主に方角を感知するものなので、あまり速い変化には対応することができないから、磁石が速く回転すると、狂わせる効果が低下する場合がある。すなわち、調理を排除する能力が低下する場合がある。【０００６】  人間でも類似の現象があって、例えば、電球や蛍光灯が電灯線で点灯している場合、電灯線は５０ヘルツあるいは６０ヘルツの交流、すなわち、１秒間に５０回あるいは６０回交番する電圧なので、これに応じて電球はや蛍光灯は点滅しているが、人間はその点滅を感じることはできず、連続して灯っているように感じる。もし点滅速度が１秒に１回程度であれば、明瞭に点滅を感知することができる。点滅を感知できる最大の速度は１秒に１０回程度である。【０００７】  同様に、鳥類においても、磁束の強度の変化が速すぎると変化として感知できず、連続として感知するから、鳥の磁気感覚を狂わせる効果が低下する。鳥類においても、磁束の強度の変化を感知できる最大の速度は１秒に１０回程度であると思われるので、磁束の変化速度を１秒に１０回以下にすることが望ましい。効果的な速度は、１秒に１０回と１０秒に１回の間程度、望むらくは１秒に１回前後と思われる。【０００８】  このように、鳥の磁気感覚を効果的に狂わせるために、すなわち鳥の飛来を効果的に防止するために、磁束の変化の速度を１秒に１０回以下に制限したい場合がある。
【課題を解決するための手段】
【０００９】  磁束の変化の速度を制限するために、磁石の運動に対して速度制限機構を設ける。磁石が回転するならば回転速度の速度制限機構を設け、磁石が揺動するならば揺動速度の速度制限機構を設ける。速度制限機構を設けることにより、磁束の変化の速度を所望の値に制限することができる。
【考案の効果】
【００１０】  本考案は、磁束の変化の速度を制限することができる、という効果がある。
【考案を実施するための最良の形態】
【００１１】  以下、本考案を、実施例を用いて、詳細に説明する。
【実施例１】
【００１２】  図１と図２は本考案の第１の実施例である。【００１３】  図１において、支持棒１の先端に回転板２が回転可能に接続され、回転板２には磁石３と腕木４が接続されている。腕木４の先端には受風カップ５があって、風を受けると腕木４と回転板２が回転し、従って磁石３が回転して、周囲の磁束を変化させるようになっている。ここで、腕木４にはガバナ６が接続されている。このガバナ６が速度制限機構であり、回転速度が速くなると、回転を制限する働きをする。【００１４】  図２は回転速度が速い場合の図で、ガバナ６は遠心力で開き、腕木４をひねって受風カップ６の向きを変えて、風を受けにくくするので、回転速度が制限される。すなわち、風速が速くなっても、回転速度は制限されてあまり増加しない。従って、磁束の変化の速度を制限することができる、その結果、効果的に鳥類を排除できる。【００１５】  本考案の第１の実施例は、磁束の変化の速度を制限する効果がある。【００１６】  なお、実際には、風速毎秒５メートル程度以下において、回転数を１秒に１０回程度以下に制限できれば十分実用的である。風が強いときにば、鳥類はあまり飛来せず、鳥害があまり発生しないからである。【００１７】  なお、速度制限機構には、図示のガバナ以外にも、摩擦ブレーキによるもの、空気ブレーキによるものなど、他の形態のものを用いることができるが、同様の効果を得ることができる。【００１８】  また、受風カップには様々な形状のもの、例えば、帆、羽根、板、その他、を使用することができるが、これら全てを受風カップの語で代表させる。
【実施例２】
【００１９】  図３は本考案の第２の実施例である。【００２０】  図３において、ゼンマイ機構１１の軸１３に磁石１４が取り付けられている。巻きネジ１２を巻くと、ゼンマイの動力により、軸１３と磁石１４が回転し、周囲の磁束が変化する。ここで、ゼンマイ機構１１には、図示しないが、空気ブレーキを付けていて、これが回転速度制限機構である。このゼンマイ機構１１はオルゴールの機構に似ていて、空気ブレーキの作用により、回転速度が制限される。その結果、【００２１】  このように、本考案の第２の実施例は、磁束の変化の速度を制限する効果がある。
【実施例３】
【００２２】  図４は本考案の第３の実施例である。【００２３】  図４において、モータ１５にギアボックス１６が接続され、軸１８には磁石１４が接続されている。給電コード１７から電力を与えると、モータが回転して、磁石１４が回転して、周囲の磁束が変化する。ここで、ギアボックス１６が回転数を落として制限する。すなわち、ギアボックス１６が速度制限機構である。ギアボックス１６を設けた結果、モータ１５の回転数が速いにも関わらす、磁石の回転数は１秒に１回前後に制限される。【００２４】  このように、本考案の第３の実施例は、磁束の変化の速度を制限する効果がある。
【実施例４】
【００２５】  図５は本考案の第４の実施例である。【００２６】  図５において、ステッピング・モータ２１の軸２２に磁石２３が接続され、ステッピング・モータ２１にはケース２４に収納された制御器２５と電源２６が接続されている。制御器２５はいわゆるステッピング・モータ・コントローラで、ステッピング・モータ２１に指令を送って任意の回転数に制御する。従って、制御器２５が速度制限機構であり、これにより磁石の回転数は１秒に１回前後に制限される。【００２７】  このように、本考案の第４の実施例は、磁束の変化の速度を制限する効果がある。【００２８】  なお、制御器２５には、パーソナル・コンピュータやマイクロ・プロセッサを使用することができる。
【実施例５】
【００２９】  図６は本考案の第５の実施例である。【００３０】  図６において、基台３１に可撓棒３２が接続され、基台３１の先端部には磁石３３と重り３４が接続されている。風が吹くと、重り３４が風を受けて、可撓棒３２が撓り、磁石３３が揺動して、周囲の磁束が変化する。ここで、可撓棒３２のバネ定数と重り３４の組合せで固有の揺動速度が決まるが、重り３４も質量を適切に選ぶことにより、揺動する速度を制限することができる。すなわち、重り３４が速度制限機構である。重りを重くすると、揺動する速度が遅くなるが、ここでは、２秒に１回程度としている。その結果、磁束の変化の速度も２秒に１回程度となる。【００３１】  このように、本考案の第５の実施例は、磁束の変化の速度を制限する効果がある。
【産業上の利用可能性】
【００３２】  本考案は、鳥害を防止したいあらゆる産業に利用できる。公園、田畑、ごみ集積場、送電線は既に挙げたが、この他にも、電車の架線、無線用アンテナ、温室、ゴルフ場など、鳥害で困っている産業で利用することができる。
【図面の簡単な説明】
【００３３】
【図１】第１の実施例の図。
【図２】第１の実施例の図。
【図３】第２の実施例の図。
【図４】第３の実施例の図。
【図５】第４の実施例の図。
【図６】第５の実施例の図。
【図７】従来技術の図。
【符号の説明】
【００３４】１  支持棒
２  回転板
３、１４、２３、３３、１０４  磁石
４  腕木
５、１０５、１０６  受風カップ
１１  ゼンマイ機構
１２  巻きネジ
１３、１８、２２  軸
１５  モータ
１６  ギアボックス
２１  ステッピング・モータ
２４  ケース２４
２５  制御器
２６  電源２６
３１  基台
３２  可撓棒
３４  重り
１０１  柱
１０２  可撓棒
１０３  回転板
【図１】
0003112642.tif 000003
【図２】
0003112642.tif 000004
【図３】
0003112642.tif 000005
【図４】
0003112642.tif 000006
【図５】
0003112642.tif 000007
【図６】
0003112642.tif 000008
【図７】
0003112642.tif 000009